(57)【要約】【課題】絶縁耐久性及び防水性に富み、容易に装着でき、且つ再利用可能な低圧ケーブルの端末処理構造を提供する。【解決手段】低圧ケーブルの端末処理における低圧ケーブルの端末処理構造であって、露出した導体部４２を有する低圧ケーブルと、導体部４２に被せられる内キャップ４３と、内キャップ４３と低圧ケーブルの被覆部４０とに被せられる軟質キャップ本体１２と、軟質キャップ本体１２の嵌合部１６に嵌め込まれる雄ネジ本体２２と、雄ネジ本体２２に捩じ込まれるナット本体３２とを有する。【選択図】      図１
2012147526.tif 000002
【特許請求の範囲】
【請求項１】
低圧ケーブルの端末処理における低圧ケーブルの端末処理構造であって、
露出した導体部を有する低圧ケーブルと、前記導体部に被せられる内キャップと、前記内キャップと前記低圧ケーブルの被覆部とに被せられる軟質キャップと、前記軟質キャップに嵌め込まれる雄ネジと、前記雄ネジに捩じ込まれるナットとを有し、  前記軟質キャップは、軟質キャップ本体に、前記低圧ケーブルが挿入されるケーブル挿入部と前記雄ネジが嵌め込まれる嵌合部と前記ナットにより圧迫されて締め付けられる圧迫部とを具備し、
前記雄ネジは、雄ネジ本体に、当該雄ネジが前記軟質キャップに嵌め込まれるキャップ嵌合穴部と、前記ナットが捩じ込まれる雄ネジ部とを具備し、
前記ナットは、ナット本体に、前記雄ネジに捩じ込まれる雄ネジ捩じ込み穴部と雌ネジ部と前記軟質キャップの前記圧迫部を圧迫し前記低圧ケーブルに締め付けるテーパ部とを具備することを特徴とする低圧ケーブルの端末処理構造。
【発明の詳細な説明】
【技術分野】
【０００１】
本発明は、低圧ケーブルの端末処理に係り、詳しくは、容易に装着でき、絶縁耐久性、及び防水性に富み、且つ再利用可能な低圧ケーブルの端末処理構造に関する。
【背景技術】
【０００２】
従来、低圧分岐接続材の一部として使用される低圧ケーブルは、低圧ケーブルの先端がビニルキャップで覆われ、絶縁テープで保護されて出荷されていた。図６は、従来の低圧ケーブルの端末処理構造の構造図である。図６において、従来の低圧ケーブルの端末処理構造２００は、低圧ケーブルの導体部４２に内キャップ４３を被せ、その上からビニルキャップ５０が被せられ、そのビニルキャップ５０と低圧ケーブル４０とを覆うように絶縁テープ６０が巻付けられた構造を有している。
【０００３】
この絶縁テープ６０の巻き付け作業は、所望の期間において十分な絶縁性、及び防水性を確保する必要があるため、作業者の技量に負うところが大きく、労力を要するものであった。また、絶縁テープ６０は、時間の経過と共に低圧ケーブル４０側、またはビニルキャップ５０の先端側にズレを生じ外観を損なうばかりでなく、場合によっては防水不良を起こす要因となっていた。また、接続作業においては、絶縁テープ６０を剥がして、ビニルキャップ５０を取り外す必要があり、作業性とゴミの発生の問題があった。さらに、出荷時において、外観不良や防水不良の恐れがあるときは、手直しをするための諸費用が発生し、コストに影響していた。
【発明の概要】
【発明が解決しようとする課題】
【０００４】
本発明は、このような問題を解決するためになされたものであり、その目的は、容易に装着でき、絶縁耐久性及び防水性に富み、且つ再利用可能な低圧ケーブルの端末処理構造を提供する。
【課題を解決するための手段】
【０００５】
本発明の低圧ケーブルの端末処理構造は、低圧ケーブルの端末処理における低圧ケーブルの端末処理構造であって、露出した導体部を有する低圧ケーブルと、導体部に被せられる内キャップと、内キャップと低圧ケーブルの被覆部とに被せられる軟質キャップと、軟質キャップに嵌め込まれる雄ネジと、雄ネジに捩じ込まれるナットとを有し、軟質キャップは、軟質キャップ本体に、低圧ケーブルが挿入されるケーブル挿入部と雄ネジが嵌め込まれる嵌合部とナットにより圧迫されて低圧ケーブルに締め付けられる圧迫部とを具備し、雄ネジは、雄ネジ本体に、当該雄ネジが軟質キャップに嵌め込まれるキャップ嵌合穴部と、ナットが捩じ込まれる雄ネジ部とを具備し、ナットは、ナット本体に、雄ネジに捩じ込まれる雄ネジ捩じ込み穴部と雌ネジ部と軟質キャップの圧迫部を圧迫し低圧ケーブルに締め付けるテーパ部とを具備することを特徴とする。
【発明の効果】
【０００６】
本発明によれば、容易に装着でき、絶縁耐久性及び防水性に富み、且つ再利用可能な低圧ケーブルの端末処理構造を提供することができる。
【図面の簡単な説明】
【０００７】
【図１】本発明による低圧ケーブルの端末処理構造の構造図。
【図２】本発明による軟質キャップの構造図。
【図３】本発明による雄ネジの構造図。
【図４】本発明によるナットの構造図。
【図５】本発明の低圧ケーブルの端末処理構造を形成する構成部品の組立図。
【図６】従来の低圧ケーブルの端末処理構造の構造図。
【発明を実施するための形態】
【実施例】
【０００８】
本発明の実施の形態について、図を用いて説明する。図１は、本発明の低圧ケーブルの端末処理構造の構造図である。図１において、本発明の低圧ケーブルの端末処理構造１００は、終端部４２において導体が露出した低圧ケーブル４０の当該終端部４２に、軟質キャップ１０被せられ、軟質キャップ１０に雄ネジ２０嵌め込まれ、雄ネジ２０にナット３０が捩じ込まれて、低圧ケーブルの端末処理構造１００が形成されている。
【０００９】
まず、低圧ケーブルの端末処理構造１００を形成する構成部品である軟質キャップ１０、雄ネジ２０、およびナット３０の構造について説明し、その後、再び図１において、低圧ケーブルの端末処理構造１００の形成プロセスを説明する。
【００１０】
図２は、本発明による軟質キャップの構造図である。図２において、軟質キャップ１０は、軟質キャップ本体１２に、低圧ケーブル４０が挿入されるケーブル挿入部１４と雄ネジ２０が嵌め込まれる嵌合部１６とナット３０により圧迫されて低圧ケーブル４０に締め付けられる圧迫部１８とを具備している。
【００１１】
図３は、本発明による雄ネジの構造図である。図３において、雄ネジ２０は、雄ネジ本体２２に、当該雄ネジ２０が軟質キャップ１０に嵌め込まれるキャップ嵌合穴部２４と、ナット３０が捩じ込まれる雄ネジ部２６とを具備している。
【００１２】
図４は、本発明によるナットの構造図である。図４において、ナット３０は、ナット本体３２に、雄ネジ２０に捩じ込まれる雄ネジ捩じ込み穴部３４と雌ネジ部３６と軟質キャップ１０の圧迫部１８を圧迫し低圧ケーブル４０に締め付けるテーパ部３８とを具備している。
【００１３】
図５は、本発明による低圧ケーブルの端末処理構造を形成する構成部品の組立図である。図５において、雄ネジ本体２２が、軟質キャップ本体１２の嵌合部１６に嵌め込まれ、雄ネジ本体２２の雄ネジ部２６とナット本体３２の雌ネジ部３６とが噛み合わされ、ナット本体３２を回転させることにより、ナット本体３２のテーパ部３８が軟質キャップ本体１２の圧迫部１８を圧迫するよう組み立てられている。つぎに、本発明の低圧ケーブルの端末処理構造１００の形成プロセスを説明する。
【００１４】
再び図１において、まず、雄ネジ本体２２が、軟質キャップ本体１２の嵌合部１６に嵌め込まれる。つぎに、ナット本体３２の雄ネジ捩じ込み穴部３４に低圧ケーブルの導体部４２が差し込まれた後、その低圧ケーブルの導体部４２に内キャップ４３が被せられ、引き続き、内キャップ４３を含め低圧ケーブルの被覆部４０まで、軟質キャップ本体１２が被せられる。つぎに、雄ネジ本体２２の雄ネジ部２６とナット本体３２の雌ネジ部３６とが噛み合わされ、ナット本体３２が回転される。ナット本体３２が回転されて矢印の方向に進むと、ナット本体３２のテーパ部３８と軟質キャップ本体１２の圧迫部１８とが接触する。さらにナット本体３２が回転されるとテーパ部３８が圧迫部１８を圧迫し、圧迫部１８は低圧ケーブル４０に所定の強さで締め付けられる。このようにして、本発明の低圧ケーブルの端末処理構造１００が形成される。また、内キャップ４３が低圧ケーブルの導体部４２に被せられた後、ナット本体３２が低圧ケーブルの被覆部４０に差し込まれ、軟質キャップ本体１２が被せられても良い。
【００１５】
以上説明したように本発明によれば、図５に示された本発明の低圧ケーブルの端末処理構造を形成する構成部品は、組立工具を必要としないため、従来の絶縁テープ６０の巻き付け作業が不要となる。また、ナット３０を所定の強さで締め付けることにより、絶縁耐久性に富んだ防水効果が実現され、且つ、ナット３０を緩めて当該構成部品を低圧ケーブル４０から取り外すことにより、構成部品を繰り返し利用できる。これにより、容易に装着でき、絶縁耐久性及び防水性に富み、且つ再利用可能な低圧ケーブルの端末処理構造を提供することが可能となる。
【符号の説明】
【００１６】
１０  軟質キャップ
１２  軟質キャップ本体
１６  嵌合部
１８  圧迫部
２０  雄ネジ
２２  雄ネジ本体
２４  キャップ嵌合穴部
２６  雄ネジ部
３０  ナット
３２  ナット本体
３４  雄ネジ捩じ込み穴部
３６  雌ネジ部
３８  テーパ部
４０  低圧ケーブルの被覆部
４２  低圧ケーブルの導体部
４３  内キャップ
５０  ビニルキャップ
６０  絶縁テープ
１００  本発明による低圧ケーブルの端末処理構造
２００  従来の低圧ケーブルの端末処理構造
【図１】
2012147526.tif 000003
【図２】
2012147526.tif 000004
【図３】
2012147526.tif 000005
【図４】
2012147526.tif 000006
【図５】
2012147526.tif 000007
【図６】
2012147526.tif 000008